(57)【要約】【課題】コースレイアウトの確認を行うときとスコアの記入を行うときとで異なる表示面をいちいち広げなければならないという煩雑さをなくすことができるゴルフスコアカードであって、プレイヤーに各ホールのコースレイアウトが小さ過ぎると感じさせず、かつ、プレイヤーが参照すべきホールのコースレイアウトを容易に探し出すことができるゴルフスコアカードを提供する。【解決手段】３つの折り曲げ部によってカード本体の表裏両側に形成される表裏合計８つの表示面のうち６つのスコア表示面のそれぞれに、連続する３ホール分のコースレイアウトを表示するコースレイアウト表示欄と当該３ホール分のスコアを記入するスコア記入欄とを設けるようにしている。これにより、プレイヤーが、あるホールのコースレイアウトの確認と当該ホールのスコアの記入とを同一のスコア表示面にて行うことができるようにしている。【選択図】        図１
2009061596.tif 000002
【特許請求の範囲】
【請求項１】
カード本体の長手方向を折り曲げて略４等分する３つの折り曲げ部と、上記折り曲げ部を境界にして上記カード本体の表裏両側に形成される表裏合計８つの表示面とを有する４つ折り可能なゴルフスコアカードであって、
前記カード本体の表側は、一端側における表紙表示面と、他端側における第三スコア表示面と、上記表紙表示面に隣接する第一スコア表示面と、上記第一スコア表示面および上記第三スコア表示面に隣接する第二スコア表示面とを有し、
前記カード本体の裏側は、上記第三スコア表示面の側である上記他端側における第四スコア表示面と、上記表紙表示面の側である上記一端側における裏表紙表示面と、上記第四スコア表示面に隣接する第五スコア表示面と、上記第五スコア表示面および上記裏表紙表示面に隣接する第六スコア表示面とを有し、
上記第一スコア表示面は、１番、２番および３番ホールのコースレイアウトを表示するコースレイアウト表示欄と、１番、２番および３番ホールのスコアを記入するスコア記入欄とを設け、
上記第二スコア表示面は、４番、５番および６番ホールの上記コースレイアウト表示欄と、４番、５番および６番ホールの上記スコア記入欄とを設け、
上記第三スコア表示面は、７番、８番および９番ホールの上記コースレイアウト表示欄と、７番、８番および９番ホールの上記スコア記入欄と、１番から９番ホールまでのスコアの小計を記入する小計記入欄とを設け、
上記第四スコア表示面は、１０番、１１番および１２番ホールの上記コースレイアウト表示欄と、１０番、１１番および１２番ホールの上記スコア記入欄とを設け、
上記第五スコア表示面は、１３番、１４番および１５番ホールの上記コースレイアウト表示欄と、１３番、１４番および１５番ホールの上記スコア記入欄とを設け、
上記第六スコア表示面は、１６番、１７番および１８番ホールの上記コースレイアウト表示欄と、１６番、１７番および１８番ホールの上記スコア記入欄と、１０番から１８番ホールまでの上記小計記入欄とを設け、
上記裏表紙表示面は、１番から９番ホールまでの上記小計記入欄と、１０番から１８番ホールまでの上記小計記入欄と、１番から１８番ホールまでのスコアの合計を記入する合計記入欄とを設けたことを特徴とするゴルフスコアカード。
【発明の詳細な説明】
【技術分野】
【０００１】
本発明は、ゴルフスコアカードに関し、特に、４つ折り可能なゴルフスコアカードに関するものである。
【背景技術】
【０００２】
一般に、ゴルフスコアカードは、スコアを記入する欄（以下、「スコア記入欄」という）と、全１８ホール分のコースレイアウトを表示する欄（以下、「全コースレイアウト表示欄」という）とを異なる表示面に有する（例えば、特許文献１参照）。
【特許文献１】特開２０００−６２３５２号公報
【０００３】
しかしながら、スコア記入欄を設けた表示面と、全コースレイアウト表示欄を設けた表示面とが異なる場合、プレイヤーは、あるホールをプレイ中（ラウンド中）は全コースレイアウト表示欄を設けた表示面を広げて当該ホールのコースレイアウトを確認する一方、当該ホールのプレイ終了後にはスコア記入欄を設けた表示面を広げてスコアを記入しなければならないという問題がある。
【０００４】
また、ゴルフスコアカードはプレイ中に携帯するものであるから余り大きなサイズであるものは好ましくなく、全コースレイアウト表示欄のサイズおよび全コースレイアウト表示欄に表示される各ホールのコースレイアウトのサイズは小さくなる。従って、プレイヤーが、各ホールのコースレイアウトが小さ過ぎると感じる可能性があるという問題がある。さらに、仮に、プレイヤーが各ホールのコースレイアウトが小さ過ぎると感じない場合であっても、全コースレイアウト表示欄には全１８ホール分のコースレイアウトが纏めて表示されているので、プレイヤーが、一旦視線を外して再び全コースレイアウト表示欄を見るような場合、全コースレイアウト表示欄に表示されている全１８ホール分のコースレイアウトの中から参照すべき一のホールのコースレイアウトを容易に探し出せない可能性があるという問題がある。
【発明の開示】
【発明が解決しようとする課題】
【０００５】
本発明は、このような問題を解決するために成されたものである。すなわち、コースレイアウトの確認を行うときとスコアの記入を行うときとで異なる表示面をいちいち広げなければならないという煩雑さをなくすことができるゴルフスコアカードであって、プレイヤーに各ホールのコースレイアウトが小さ過ぎると感じさせず、かつ、プレイヤーが参照すべきホールのコースレイアウトを容易に探し出すことができるゴルフスコアカードを提供することを目的とする。
【課題を解決するための手段】
【０００６】
上記した課題を解決するために、３つの折り曲げ部によってカード本体の表裏両側に形成される表裏合計８つの表示面のうち、表紙表示面と裏表紙表示面とに用いる２つの表示面を除く６つの表示面のそれぞれに、連続する３ホール分のコースレイアウトを表示するコースレイアウト表示欄と当該３ホール分のスコアを記入するスコア記入欄とを設けるようにしている。
【発明の効果】
【０００７】
上記のように構成した本発明の構成によれば、あるホールのスコアを記入するスコア表示欄を設けたスコア表示面に当該ホールのコースレイアウト表示欄が設けられているので、プレイヤーは、あるホールのコースレイアウトの確認と当該ホールのスコアの記入とを同一のスコア表示面にて行うことができる。
【０００８】
また、コースレイアウト表示欄は高々３ホール分のコースレイアウトを表示するだけなので、ゴルフスコアカード自体のサイズを大きくすることなく各ホールのコースレイアウトを大きくすることができる。従って、プレイヤーが、各ホールのコースレイアウトが小さ過ぎると感じる可能性を大幅に低減させることができる。さらに、プレイヤーは、コースレイアウト表示欄に表示された３ホール分のコースレイアウトの中から参照すべき一のホールのコースレイアウトを容易に探し出すことができる。
【発明を実施するための最良の形態】
【０００９】
以下、本発明の一実施形態を図面に基づいて説明する。図１は、本実施形態のゴルフスコアカードの一例を示す図である。図１（ａ）はゴルフスコアカードのカード本体１０（以下、単に「カード本体１０」という）の表側、図１（ｂ）は、カード本体１０の裏側を示す。
【００１０】
カード本体１０は、図１（ａ）（ｂ）に示すように、矩形であって、長手方向を折り曲げて略４等分する折り曲げ部５００、５１０、５２０を有する。具体的には、カード本体１０は、カード本体１０の表側を山折（裏側を谷折）にする折り曲げ部５００および折り曲げ部５２０、並びに、カード本体１０の表側を谷折（裏側を山折）にする折り曲げ部５１０を有する。以下、図１および後述する図２において、山折を破線、谷折を点線で示す。
【００１１】
また、カード本体１０は、折り曲げ部５００、５１０、５２０を境界にしてカード本体１０の表裏両側に形成される表裏合計８つの表示面を有する。具体的には、カード本体１０は、表側においては、図１（ａ）に示すように、カード本体１０の一端側に形成される表紙表示面１００と、カード本体１０の他端側に形成される第三スコア表示面１３０と、折り曲げ部５００を境界にして表紙表示面１００に隣接して形成される第一スコア表示面１１０と、折り曲げ部５１０を境界にして第一スコア表示面１１０に隣接するとともに折り曲げ部５２０を境界にして第三スコア表示面１３０に隣接して形成される第二スコア表示面１２０とを有する。
【００１２】
カード本体１０は、裏側においては、図１（ｂ）に示すように、第三スコア表示面１３０の側である他端側に（第三スコア表示面１３０の裏面に）形成される第四スコア表示面１４０と、表紙表示面１００の側である一端側に（表紙表示面１００の裏面に）形成される裏表紙表示面２００と、折り曲げ部５２０を境界にして第四スコア表示面１４０に隣接して形成される第五スコア表示面１５０と、折り曲げ部５１０を境界にして第五スコア表示面１５０に隣接するとともに折り曲げ部５００を境界にして裏表紙表示面２００に隣接して形成される第六スコア表示面１６０とを有する。
【００１３】
表紙表示面１００は、図１（ａ）に示すように、ゴルフ場の名称、ロゴなどを表示する。第一スコア表示面１１０は、１番、２番および３番ホールのコースレイアウトを表示するコースレイアウト表示欄１１２と、１番、２番および３番ホールのスコアを記入するスコア記入欄１１４とを表示する。
【００１４】
第二スコア表示面１２０は、４番、５番および６番ホールのコースレイアウト表示欄１２２と、４番、５番および６番ホールのスコア記入欄１２４と、広告を表示する広告欄１２８とを表示する。なお、広告欄１２８に代えてまたは加えて、４番、５番および６番ホールの特徴、攻略方法などを表示するホール説明欄を表示してもよい。
【００１５】
第三スコア表示面１３０は、７番、８番および９番ホールのコースレイアウト表示欄１３２と、７番、８番および９番ホールのスコア記入欄１３４と、１番から９番ホールまでのスコアの小計を記入する小計記入欄１３６と、広告を表示する広告欄１３８とを表示する。なお、広告欄１３８に代えてまたは加えて、７番、８番および９番ホールの特徴、攻略方法などを表示するホール説明欄を表示してもよい。
【００１６】
第四スコア表示面１４０は、図１（ｂ）に示すように、１０番、１１番および１２番ホールのコースレイアウト表示欄１４２と、１０番、１１番および１２番ホールのスコア記入欄１４４とを表示する。
【００１７】
第五スコア表示面１５０は、１３番、１４番および１５番ホールのコースレイアウト表示欄１５２と、１３番、１４番および１５番ホールのスコア記入欄１５４と、広告を表示する広告欄１５８とを表示する。なお、広告欄１５８に代えてまたは加えて、１３番、１４番および１５番ホールの特徴、攻略方法などを表示するホール説明欄を表示してもよい。
【００１８】
第六スコア表示面１６０は、１６番、１７番および１８番ホールのコースレイアウト表示欄１６２と、１６番、１７番および１８番ホールのスコア記入欄１６４と、１０番から１８番ホールまでの小計記入欄１６６と、広告を表示する広告欄１６８とを表示する。なお、広告欄１６８に代えてまたは加えて、１６番、１７番および１８番ホールの特徴、攻略方法などを表示するホール説明欄を表示してもよい。
【００１９】
裏表紙表示面２００は、広告を表示する広告欄２０２と、１番から９番ホールまでの小計記入欄２０６と、１０番から１８番ホールまでの小計記入欄２１６と、１番から１８番ホールまでのスコアの合計を記入する合計記入欄２０８とを表示する。なお、広告欄２０２に代えてまたは加えて、注意事項等を表示する注意事項表示欄を表示してもよい。
【００２０】
なお、スコア記入欄１１４、１２４、１３４、１４４、１５４、１６４に、各ホールのスコアのほか、図１に示すように各ホールのＰＡＲの値を表示（記入）する欄を設けてもよい。また、裏表紙表示面２００に、広告欄２０２、小計記入欄２０６、２１６および合計記入欄２０８に加え、各プレイヤーのハンディキャップを記入する欄（非図示）を設けてもよい。
【００２１】
以下、上記のカード本体１０の使用例について説明する。図２は、図１に示すゴルフスコアカードを折り曲げた状態の一例を示す図である。なお、図２（ａ）（ｄ）において、コースレイアウト表示欄およびスコア記入欄等の描画を省略した。プレイヤーは、例えば、２番ホールをプレイしているときは、図２（ａ）に示すように、カード本体１０の表側を折り曲げ部５００および折り曲げ部５２０のところで山折にすることにより、図２（ｂ）に示すように、カード本体１０を２分の１の大きさに畳み、コースレイアウト表示欄１１２とスコア記入欄１１４とが設けられた第一スコア表示面１１０を見ることができる。従って、プレイヤーは、プレイ中にカード本体１０を適度の大きさに広げて、２番ホールのコースレイアウトをコースレイアウト表示欄１１２にて確認し、２番ホールのプレイ終了後には他の表示面を捲ることなく２番ホールのスコアをスコア記入欄１１４に記入することができる。なお、プレイヤーは、図２（ｂ）に示す状態からさらに、谷折である折り曲げ部５１０のところをあえて山折にすることにより、図２（ｃ）に示すように、カード本体１０を４分の１の大きさに畳み、第一スコア表示面１１０を見ることができる。
【００２２】
また、プレイヤーは、例えば、全１８ホールのプレイが終了したときは、図２（ｄ）に示すように、カード本体１０の裏側を折り曲げ部５２０のところで谷折にすることにより、図２（ｅ）に示すように、表側の第三スコア表示面１３０と、裏側の第六スコア表示面１６０と、裏側の裏表紙表示面２００とを並べてみることができる。従って、プレイヤーは、第三スコア表示面１３０の小計記入欄１３６に記入した値を容易に裏表紙表示面２００の小計記入欄２０６に転記し、第六スコア表示面１６０の小計記入欄１６６に記入した値を容易に裏表紙表示面２００の小計記入欄２１６に転記することができる。
【００２３】
以上、本実施形態によれば、プレイヤーは、あるホールのコースレイアウトの確認と当該ホールのスコアの記入とを同一のスコア表示面にて行うことができる。例えば、プレイヤーは、第一スコア表示面１１０のコースレイアウト表示欄１１２にて２番ホールのコースレイアウトを確認し、２番ホールのプレイを終了したときは、当該第一スコア表示面１１０のスコア記入欄１１４にスコアを記入することができる。
【００２４】
また、各コースレイアウト表示欄は３ホール分のコースレイアウトを表示するだけなので、プレイヤーが、各ホールのコースレイアウトが小さ過ぎると感じる可能性を大幅に低減させることができる。さらに、プレイヤーは、コースレイアウト表示欄に表示された３ホール分のコースレイアウトの中から参照すべき一のホールのコースレイアウトを容易に探し出すことができる。
【００２５】
なお、上記実施形態は、何れも本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【図面の簡単な説明】
【００２６】
【図１】本実施形態のゴルフスコアカードの一例を示す図である。
【図２】図１に示すゴルフスコアカードを折り曲げた状態の一例を示す図である。
【符号の説明】
【００２７】
１０  カード本体
１００  表紙表示面
１１０  第一スコア表示面
１１２  コースレイアウト表示欄
１１４  スコア記入欄
１２０  第二スコア表示面
１２２  コースレイアウト表示欄
１２４  スコア記入欄
１２８  広告欄
１３０  第三スコア表示面
１３２  コースレイアウト表示欄
１３４  スコア記入欄
１３６  小計記入欄
１３８  広告欄
１４０  第四スコア表示面
１４２  コースレイアウト表示欄
１４４  スコア記入欄
１５０  第五スコア表示面
１５２  コースレイアウト表示欄
１５４  スコア記入欄
１５８  広告欄
１６０  第六スコア表示面
１６２  コースレイアウト表示欄
１６４  スコア記入欄
１６６  小計記入欄
１６８  広告欄
２００  裏表紙表示面
２０２  広告表示欄
２０６  小計記入欄
２０８  合計記入欄
２１６  小計記入欄
５００  折り曲げ部
５１０  折り曲げ部
５２０  折り曲げ部
【図１】
2009061596.tif 000003
【図２】
2009061596.tif 000004